【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
５つのレンズ群から構成され、そのうちの３つ（Ｇ１、Ｇ３、Ｇ５）は位置固定であり、２つ（Ｇ２、Ｇ４）は、光軸線に沿って摺動可能に備えられている、固定焦点距離の対物レンズであって、
対物レンズ鏡筒内には、結像面（ＩＭ）に関し、
ａ）物体側から見て、第１のフロントレンズ群（Ｇ１）が位置固定に配設され、
ｂ）正の屈折力を有する第２のレンズ群がフォーカシング前群（Ｇ２）として摺動可能に配設され、
ｃ）開口において調節可能な位置固定のアイリス絞り（ＡＰ）を含んだ第３のレンズ群が中間群（Ｇ３）として位置固定に配設され、
ｄ）正の屈折力を有する第４のレンズ群がフォーカシング後群（Ｇ４）として摺動可能に配設され、そして、
ｅ）第５のリアレンズ群（Ｇ５）が位置固定に配設されており、
前記フォーカシング前群（Ｇ２）も前記フォーカシング後群（Ｇ４）も、様々な物体距離にある物体に対して該対物レンズをフォーカシングするために、互いに対して相対的に一緒に且つ位置固定に配設された前記レンズ群（Ｇ１、Ｇ３、Ｇ５）に対して相対的に一緒に可動であり、前記フロントレンズ群（Ｇ１）は、正の屈折力を有し、前記中間群（Ｇ３）と前記リアレンズ群（Ｇ５）は、負の屈折力を有すること
を特徴とする対物レンズ。
【請求項２】
前記フォーカシング前群（Ｇ２）も前記フォーカシング後群（Ｇ４）も、無限遠から至近設定へのフォーカシングの際には、前記結像面（ＩＭ）から遠ざかること
を特徴とする、請求項１に記載の対物レンズ。
【請求項３】
ａ）前記フロントレンズ群（Ｇ１）の焦点距離ｆ１と該対物レンズ全体の焦点距離ｆとの比率ｆ１／ｆは、０.５と３０の間にあり、
ｂ）前記フォーカシング前群（Ｇ２）の焦点距離ｆ２と該対物レンズ全体の焦点距離ｆとの比率ｆ２／ｆは、０.３と１０の間にあり、
ｃ）前記中間群（Ｇ３）の焦点距離ｆ３と該対物レンズ全体の焦点距離ｆとの比率ｆ３／ｆは、−３０と−０.３の間にあり、
ｄ）前記フォーカシング後群（Ｇ４）の焦点距離ｆ４と該対物レンズ全体の焦点距離ｆとの比率ｆ４／ｆは、０.１と１０の間にあり、
ｅ）前記リアレンズ群（Ｇ５）の焦点距離ｆ５と該対物レンズ全体の焦点距離ｆとの比率ｆ５／ｆは、−４０と−０.１の間にあること
を特徴とする、請求項１又は２に記載の対物レンズ。
【請求項４】
該対物レンズは、前記結像面（ＩＭ）でのイメージサークル直径に対する全焦点距離ｆの比率を１と５の間で有すること
を特徴とする、請求項１〜３のいずれか一項に記載の対物レンズ。
【請求項５】
３乗計算による前記結像面（ＩＭ）でのイメージサークル直径（Ｂｄ）に対するそれぞれのフォーカシング群（Ｇ２、Ｇ４）の体積Ｖの比率は、０.１未満（Ｖ／Ｂｄ３＜０.１）であるか、又はそれぞれのフォーカシング群（Ｇ２、Ｇ４）の重量は、１５ｇ（グラム）未満であること
を特徴とする、請求項１〜４のいずれか一項に記載の対物レンズ。
【請求項６】
ａ）前記フロントレンズ群（Ｇ１）は、４つのレンズ要素（Ｇ１Ｌ１、Ｇ１Ｌ２、Ｇ１Ｌ３、Ｇ１Ｌ４）から構成され、第１レンズ要素（Ｇ１Ｌ１）は、正の屈折力を有し、第２レンズ要素（Ｇ１Ｌ２）は、正の屈折力を有し、第３レンズ要素（Ｇ１Ｌ３）は、正の屈折力を有し、第４レンズ要素（Ｇ１Ｌ４）は、負の屈折力を有し、第３レンズ要素（Ｇ１Ｌ３）と第４レンズ要素（Ｇ１Ｌ４）は、負の全屈折力を有するダブレットレンズ（Ｇ１Ｌ３、Ｇ１Ｌ４）にまとめられているか、又は、
ｂ）前記フロントレンズ群（Ｇ１）は、４つのレンズ要素（Ｇ１Ｌ１、Ｇ１Ｌ２、Ｇ１Ｌ３、Ｇ１Ｌ４）から構成され、第１レンズ要素（Ｇ１Ｌ１）は、正の屈折力を有し、第２レンズ要素（Ｇ１Ｌ２）は、負の屈折力を有し、第３レンズ要素（Ｇ１Ｌ３）は、正の屈折力を有し、第４レンズ要素（Ｇ１Ｌ４）は、負の屈折力を有し、第３レンズ要素（Ｇ１Ｌ３）と第４レンズ要素（Ｇ１Ｌ４）は、正の全屈折力を有するダブレットレンズ（Ｇ１Ｌ３、Ｇ１Ｌ４）にまとめられているか、又は、
ｃ）前記フロントレンズ群（Ｇ１）は、３つのレンズ要素（Ｇ１Ｌ１、Ｇ１Ｌ２、Ｇ１Ｌ３）から構成され、第１レンズ要素（Ｇ１Ｌ１）は、正の屈折力を有し、第２レンズ要素（Ｇ１Ｌ２）は、正の屈折力を有し、第３レンズ要素（Ｇ１Ｌ３）は、負の屈折力を有し、第２レンズ要素（Ｇ１Ｌ２）と第３レンズ要素（Ｇ１Ｌ３）は、負又は正の全屈折力を有するダブレットレンズ（Ｇ１Ｌ２、Ｇ１Ｌ３）にまとめられていること
を特徴とする、請求項１〜５のいずれか一項に記載の対物レンズ。
【請求項７】
ａ）前記中間群（Ｇ３）は、２つのレンズ要素（Ｇ３Ｌ１、Ｇ３Ｌ２）とアイリス絞り（ＡＰ）とから構成され、第１レンズ要素（Ｇ３Ｌ１）は、負の屈折力を有し、第２レンズ要素（Ｇ３Ｌ２）は、正の屈折力を有し、第１レンズ要素（Ｇ３Ｌ１）と第２レンズ要素（Ｇ３Ｌ２）の間に位置固定でアイリス絞り（ＡＰ）が配設されているか、又は、
ｂ）前記中間群（Ｇ３）は、５つのレンズ要素（Ｇ３Ｌ１、Ｇ３Ｌ２、Ｇ３Ｌ３、Ｇ３Ｌ４、Ｇ３Ｌ５）とアイリス絞り（ＡＰ）とから構成され、第１レンズ要素（Ｇ３Ｌ１）は、負の屈折力を有し、第２レンズ要素（Ｇ３Ｌ２）は、負の屈折力を有し、第３レンズ要素（Ｇ３Ｌ３）は、正の屈折力を有し、第４レンズ要素（Ｇ３Ｌ４）は、負の屈折力を有し、第５レンズ要素（Ｇ３Ｌ５）は、正の屈折力を有し、第４レンズ要素（Ｇ３Ｌ４）と第５レンズ要素（Ｇ３Ｌ５）は、正の全屈折力を有するダブレットレンズ（Ｇ３Ｌ４、Ｇ３Ｌ５）にまとめられており、アイリス絞り（ＡＰ）は、位置固定で第１レンズ要素（Ｇ３Ｌ１）と第２レンズ要素（Ｇ３Ｌ２）の間に配設されていること
を特徴とする、請求項１〜６のいずれか一項に記載の対物レンズ。
【請求項８】
ａ）前記リアレンズ群（Ｇ５）は、３つのレンズ要素（Ｇ５Ｌ１、Ｇ５Ｌ２、Ｇ５Ｌ３）から構成され、第１レンズ要素（Ｇ５Ｌ１）は、正の屈折力を有し、第２レンズ要素（Ｇ５Ｌ２）は、負の屈折力を有し、第３レンズ要素（Ｇ５Ｌ３）は、負の屈折力を有し、第１レンズ要素（Ｇ５Ｌ１）と第２レンズ要素（Ｇ５Ｌ２）は、正の全屈折力を有するダブレットレンズ（Ｇ５Ｌ１、Ｇ５Ｌ２）にまとめられているか、又は、
ｂ）前記リアレンズ群（Ｇ５）は、３つのレンズ要素（Ｇ５Ｌ１、Ｇ５Ｌ２、Ｇ５Ｌ３）から構成され、第１レンズ要素（Ｇ５Ｌ１）は、負の屈折力を有し、第２レンズ要素（Ｇ５Ｌ２）は、正の屈折力を有し、第３レンズ要素（Ｇ５Ｌ３）は、負の屈折力を有すること
を特徴とする、請求項１〜７のいずれか一項に記載の対物レンズ。
【請求項９】
５つのレンズ群（Ｇ１、Ｇ２、Ｇ３、Ｇ４、Ｇ５）のうち少なくとも１つには、１つ又は２つの非球面を有する１つのレンズが含まれていること
を特徴とする、請求項１〜８のいずれか一項に記載の対物レンズ。
【請求項１０】
前記リアレンズ群（Ｇ５）は、１.８よりも大きい屈折率ｎｅを有する光学材料を用いた少なくとも１つのレンズを含むこと
を特徴とする、請求項１〜９のいずれか一項に記載の対物レンズ。
【請求項１１】
前記中間群（Ｇ３）は、−０.０７よりも小さいか又は０.０７よりも大きい異常部分分散ＳＣＤを有する光学材料を用いた少なくとも１つのレンズを含むこと
を特徴とする、請求項１〜１０のいずれか一項に記載の対物レンズ。
【請求項１２】
前記フロントレンズ群（Ｇ１）は、０.０７よりも大きい異常部分分散ＳＣＤを有する光学材料を用いた少なくとも１つのレンズを含むこと
を特徴とする、請求項１〜１１のいずれか一項に記載の対物レンズ。
【請求項１３】
フォーカシング群（Ｇ２、Ｇ４）の少なくとも１つは、０.０７よりも大きい異常部分分散ＳＣＤを有する光学材料を用いた１つのレンズを含むこと
を特徴とする、請求項１〜１２のいずれか一項に記載の対物レンズ。
【手続補正２】
【補正対象書類名】明細書
【補正対象項目名】０００９
【補正方法】変更
【補正の内容】
【０００９】
前記課題は、本発明に従い、請求項１に記載した特徴により解決される。有利な更なる構成は、下位請求項の特徴から読み取れる。
即ち本発明の一視点により、５つのレンズ群から構成され、そのうちの３つは位置固定であり、２つは、光軸線に沿って摺動可能に備えられている、固定焦点距離の対物レンズであって、
対物レンズ鏡筒内には、結像面に関し、
ａ）物体側から見て、第１のフロントレンズ群が位置固定に配設され、
ｂ）正の屈折力を有する第２のレンズ群がフォーカシング前群として摺動可能に配設され、
ｃ）開口において調節可能な位置固定のアイリス絞りを含んだ第３のレンズ群が中間群として位置固定に配設され、
ｄ）正の屈折力を有する第４のレンズ群がフォーカシング後群として摺動可能に配設され、そして、
ｅ）第５のリアレンズ群が位置固定に配設されており、
前記フォーカシング前群も前記フォーカシング後群も、様々な物体距離にある物体に対して該対物レンズをフォーカシングするために、互いに対して相対的に一緒に且つ位置固定に配設された前記レンズ群に対して相対的に一緒に可動であり、前記フロントレンズ群は、正の屈折力を有し、前記中間群と前記リアレンズ群は、負の屈折力を有することを特徴とする対物レンズが提供される。
尚、本願の特許請求の範囲において付記された図面参照符号は、専ら本発明の理解の容易化のためのものであり、図示の形態への限定を意図するものではないことを付言する。
【手続補正３】
【補正対象書類名】明細書
【補正対象項目名】００１０
【補正方法】変更
【補正の内容】
【００１０】
本発明において、以下の形態が可能である。
（形態１）
５つのレンズ群から構成され、そのうちの３つは位置固定であり、２つは、光軸線に沿って摺動可能に備えられている、固定焦点距離のレンズであって、
レンズ鏡筒内には、結像面に関し、
ａ）物体側から見て、第１のフロントレンズ群が位置固定に配設され、
ｂ）第２のレンズ群がフォーカシング前群として摺動可能に配設され、
ｃ）開口において調節可能な位置固定のアイリス絞りを含んだ第３のレンズ群が中間群として位置固定に配設され、
ｄ）第４のレンズ群がフォーカシング後群として摺動可能に配設され、そして、
ｅ）第５のリアレンズ群が位置固定に配設されており、
前記フォーカシング前群も前記フォーカシング後群も、様々な物体距離にある物体に対して該レンズをフォーカシングするために、互いに対して相対的に一緒に且つ位置固定に配設された前記レンズ群に対して相対的に一緒に可動であり、前記フロントレンズ群は、正の屈折力を有し、前記中間群と前記リアレンズ群は、負の屈折力を有すること。
（形態２）
前記フォーカシング前群と前記フォーカシング後群は、正の屈折力を有すること、が好ましい。
（形態３）
前記フォーカシング前群も前記フォーカシング後群も、無限遠から至近設定へのフォーカシングの際には、前記結像面から遠ざかること、が好ましい。
（形態４）
ａ）前記フロントレンズ群の焦点距離ｆ１と該レンズ全体の焦点距離ｆとの比率ｆ１／ｆは、０.５と３０の間にあり、
ｂ）前記フォーカシング前群の焦点距離ｆ２と該レンズ全体の焦点距離ｆとの比率ｆ２／ｆは、０.３と１０の間にあり、
ｃ）前記中間群の焦点距離ｆ３と該レンズ全体の焦点距離ｆとの比率ｆ３／ｆは、−３０と−０.３の間にあり、
ｄ）前記フォーカシング後群の焦点距離ｆ４と該レンズ全体の焦点距離ｆとの比率ｆ４／ｆは、０.１と１０の間にあり、
ｅ）前記リアレンズ群の焦点距離ｆ５と該レンズ全体の焦点距離ｆとの比率ｆ５／ｆは、−４０と−０.１の間にあること、が好ましい。
（形態５）
該レンズは、前記結像面でのイメージサークル直径に対する全焦点距離ｆの比率を１と５の間で有すること、が好ましい。
（形態６）
３乗計算による前記結像面でのイメージサークル直径に対するそれぞれのフォーカシング群の体積Ｖの比率は、０.１未満（Ｖ／Ｂｄ３＜０.１）であり、特に０.０８未満にあるか、又はそれぞれのフォーカシング群の重量は、１５ｇ（グラム）未満であること、が好ましい。
（形態７）
ａ）前記フロントレンズ群は、４つのレンズ要素から構成され、第１レンズ要素は、正の屈折力を有し、第２レンズ要素は、正の屈折力を有し、第３レンズ要素は、正の屈折力を有し、第４レンズ要素は、負の屈折力を有し、第３レンズ要素と第４レンズ要素は、負の全屈折力を有するダブレットレンズにまとめられているか、又は、
ｂ）前記フロントレンズ群は、４つのレンズ要素から構成され、第１レンズ要素は、正の屈折力を有し、第２レンズ要素は、負の屈折力を有し、第３レンズ要素は、正の屈折力を有し、第４レンズ要素は、負の屈折力を有し、第３レンズ要素と第４レンズ要素は、正の全屈折力を有するダブレットレンズにまとめられているか、又は、
ｃ）前記フロントレンズ群は、３つのレンズ要素から構成され、第１レンズ要素は、正の屈折力を有し、第２レンズ要素は、正の屈折力を有し、第３レンズ要素は、負の屈折力を有し、第２レンズ要素と第３レンズ要素は、負又は正の全屈折力を有するダブレットレンズにまとめられていること、が好ましい。
（形態８）
ａ）前記中間群は、２つのレンズ要素とアイリス絞りとから構成され、第１レンズ要素は、負の屈折力を有し、第２レンズ要素は、正の屈折力を有し、第１レンズ要素と第２レンズ要素の間に位置固定でアイリス絞りが配設されているか、又は、
ｂ）前記中間群は、５つのレンズ要素とアイリス絞りとから構成され、第１レンズ要素は、負の屈折力を有し、第２レンズ要素は、負の屈折力を有し、第３レンズ要素は、正の屈折力を有し、第４レンズ要素は、負の屈折力を有し、第５レンズ要素は、正の屈折力を有し、第４レンズ要素と第５レンズ要素は、正の全屈折力を有するダブレットレンズにまとめられており、アイリス絞りは、位置固定で第１レンズ要素と第２レンズ要素の間に配設されていること、が好ましい。
（形態９）
ａ）前記リアレンズ群は、３つのレンズ要素から構成され、第１レンズ要素は、正の屈折力を有し、第２レンズ要素は、負の屈折力を有し、第３レンズ要素は、負の屈折力を有し、第１レンズ要素と第２レンズ要素は、正の全屈折力を有するダブレットレンズにまとめられているか、又は、
ｂ）前記リアレンズ群は、３つのレンズ要素から構成され、第１レンズ要素は、負の屈折力を有し、第２レンズ要素は、正の屈折力を有し、第３レンズ要素は、負の屈折力を有すること、が好ましい。
（形態１０）
５つのレンズ群のうち少なくとも１つには、１つ又は２つの非球面を有する１つのレンズが含まれ、好ましくは、定置のレンズ群内に含まれていること、が好ましい。
（形態１１）
前記リアレンズ群は、１.８よりも大きい屈折率ｎｅを有する光学材料を用いた少なくとも１つのレンズを含むこと、が好ましい。
（形態１２）
前記中間群は、−０.０７よりも小さいか又は０.０７よりも大きい異常部分分散ＳＣＤを有する光学材料を用いた少なくとも１つのレンズを含むこと、が好ましい。
（形態１３）
前記フロントレンズ群は、０.０７よりも大きい異常部分分散ＳＣＤを有する光学材料を用いた少なくとも１つのレンズを含むこと、が好ましい。
（形態１４）
フォーカシング群の少なくとも１つは、０.０７よりも大きい異常部分分散ＳＣＤを有する光学材料を用いた１つのレンズを含むこと、が好ましい。